(57)【要約】      （修正有）【課題】海底に設けられた孔の中で縦向き状態から、水平な横向き状態に回動させ、孔に良好に固定することができるＶ字型アンカーを提供する。【解決手段】本Ｖ字型アンカー１００は、長尺なＶ字形の溝を有し、前端が鋭角に切り取られた形状のアンカー本体１と、アンカー本体の後端に設けられ、アンカー本体の長手方向に対して傾斜させたＶ字形の溝を有する水平舵４と、アンカー本体の中央に設けられた回動軸１０に取り付けられ、係留ロープが接続される回動アーム３と、回動アームの回動をアンカー本体の長手方向と平行な方向から直角な方向に至るまでの角度に制限する回動制限部材９とが備えられる。【選択図】図２
0003160282.tif 000002
【実用新案登録請求の範囲】
【請求項１】
長尺なＶ字形の溝を有し、前端が鋭角に切り取られた形状のアンカー本体と、
前記アンカー本体の後端に設けられ、前記アンカー本体の長手方向に対して傾斜させたＶ字形の溝を有する水平舵と、
前記アンカー本体の中央に設けられた回動軸に取り付けられ、係留ロープが接続される回動アームと、
前記回動アームの回動を前記アンカー本体の長手方向と平行な方向から直角な方向に至る角度に制限する回動制限部材と、を備えることを特徴とするＶ字型アンカー。
【請求項２】
前記回動アームは、前記アンカー本体の長さの２分の１から３分の１の長さであることを特徴とする請求項１に記載のＶ字型アンカー。
【考案の詳細な説明】
【技術分野】
【０００１】
本考案は、魚や海藻などの養殖施設、定置網などを繋留するアンカーに係り、より詳細には、海底に掘削した孔に挿入して引き上げると、両端が砂地に食い込んで固定できるＶ字型アンカーに関する。
【背景技術】
【０００２】
特許文献１には、金網製のアンカーが提案されている。大きな金網製の袋体に海底の砂利をポンプで吸い上げて充填し、海底に設置して定置網などを繋留するアンカーとするものである。この考案によれば、海底の砂利を利用できるなどの利点もあるが、大規模な設置工事が必要となる。
【０００３】
これに対し、本出願人は特許文献２に示すようなＶ字型アンカーを提案した。このアンカーは、横向きの状態で上が開いたＶ字型の鋼板からなる。海底に設けた孔に砂地固定アンカーを縦向きに挿入して上方向に引き上げると、両端が砂地に食い込んで横向きとなり上方向に抜けないようにできる。このアンカーは、構造が簡単で製作コストも安く、また、海上からのアンカー設置工事も容易である。
【０００４】
図８は、特許文献１に示すＶ字型アンカーである。図８（Ａ）に示すように、従来のＶ字型アンカー９０は、海底に設けた孔に係留ロープ７で吊り下げた状態では、縦向きとなり、水平舵４が側壁に当接してやや斜めに傾いた状態となる。係留ロープ７を引き上げると、水平舵４が砂地に食い込んでＶ字型アンカー９０が回動される。ある程度係留ロープ７を引き上げると、図８（Ｂ）に示すようにＶ字型アンカー９０は横向きで水平になる。しかしながら、図８（Ｃ）に示すように、Ｖ字型アンカー９０が大きく回動されて斜めとなってしまう場合や図８（Ｄ）に示すように、あまり回動されず斜めとなってしまう場合がある。このような場合、Ｖ字型アンカー９０が引き抜き力に対して十分に固定されているとは言えない。すなわち係留ロープ７とＶ字型アンカーのなす角度が０〜１８０度の間で自在であることに問題がある。
【先行技術文献】
【特許文献】
【０００５】
【特許文献１】実開平７−２４６０４２号公報
【特許文献２】特開２００８−１７８０４号公報
【考案の概要】
【考案が解決しようとする課題】
【０００６】
本考案の目的は、海底に設けられた孔の中で縦向き状態から、水平な横向き状態に回動させ、孔に良好に固定することができるＶ字型アンカーを提供することにある。
【課題を解決するための手段】
【０００７】
上記の目的を達成するため、本考案によるＶ字型アンカーは、長尺なＶ字形の溝を有し、前端が鋭角に切り取られた形状のアンカー本体と、前記アンカー本体の後端に設けられ、前記アンカー本体の長手方向に対して傾斜させたＶ字形の溝を有する水平舵と、前記アンカー本体の中央に設けられた回動軸に取り付けられ、係留ロープが接続される回動アームと、前記回動アームの回動を前記アンカー本体の長手方向と平行な方向から直角な方向に至るまでの角度に制限する回動制限部材と、が備えられることを特徴とする。
【０００８】
前記回動アームは、前記アンカー本体の長さの２分の１から３分の１の長さであることを特徴とする請求項１に記載のＶ字型アンカー。
【考案の効果】
【０００９】
本考案によるＶ字型アンカーによれば、回動アームと、回動アームの回動をアンカー本体の長手方向と平行な方向から直角な方向に至るまでの角度（９０度）に制限する回動制限部材とを備えたので、海底に設けられた孔に係留ロープでＶ字型アンカーを降ろし、係留ロープを引き上げてＶ字型アンカーを上昇させると良好に水平状態となって海底の孔に固定できる。回動アームは、アンカー本体に回転モーメントを与えて、Ｖ字型アンカーを水平な横向きにするように作用させることができる。
【００１０】
回動アームは、アンカー本体の長さの二分の一から三分の一の長さとしたので、アンカー本体から突出することもなく、また、Ｖ字型アンカーを水平な横向きにするような復元力を与えることができる。
【図面の簡単な説明】
【００１１】
【図１】本考案によるＶ字型アンカーの平面図である。
【図２】本考案によるＶ字型アンカーの正面図である。
【図３】図１のＡ−Ａ断面図である。
【図４】図１のアンカー本体と水平舵との分解斜視図である。
【図５】図１の回動アームと回動軸の斜視図である。
【図６】Ｖ字型アンカーを海底に固定する説明図である。（Ａ）はＶ字型アンカーが掘削ホースと一緒に孔に挿入された状態を示す。（Ｂ）は掘削ホースを引き上げ、Ｖ字型アンカーを吊り下げた状態を示す。
【図７】Ｖ字型アンカーを海底に固定する説明図である。（Ａ）はＶ字型アンカーが上昇され、両端が砂地に食い込んだ状態を示す。（Ｂ）はＶ字型アンカーがさらに上昇され水平に固定された状態を示す。
【図８】従来のＶ字型アンカーの動作説明図である。（Ａ）は孔に吊り下ろした状態を示す。（Ｂ）はＶ字型アンカーが水平に固定された状態を示す。（Ｃ）はＶ字型アンカーが右方向に傾いて固定された状態を示す。（Ｄ）はＶ字型アンカーが左方向に傾いて固定された状態を示す。
【考案を実施するための形態】
【００１２】
以下、図面を参照にして本考案によるＶ字型アンカーについて説明する。
【実施例】
【００１３】
図１は、本考案によるＶ字型アンカー１００の平面図である。Ｖ字型アンカー１００は、アンカー本体１と水平舵４を有する。アンカー本体１は、長尺な山形鋼で形成される。アンカー本体１は、先端部１ａが鋭角に切り取られ、砂地に食い込みやすい形状としている。水平舵４はアンカー本体１の後端に設けられる。回動軸１０は、アンカー本体１の中央に設けられ、回動アーム３が回動可能に取り付けられる。回動アーム３の両側に、回動角度を制限する回動制限部材９が取り付けられる。本実施例では、回動制限部材９にチェーンを使用した。ホースガイド２を山形鋼の両片をまたぐように取り付け、海底に削孔する際、Ｖ字型アンカー１００の溝１１（図３参照）に通す掘削ホースを支えるようにした。なお、これに限定されるものではないが、本実施例のＶ字型アンカー１００は、長さが１１００ｍｍ、幅が２４０ｍｍ、高さが１２０ｍｍとした。アンカー本体１の長さは約９８０ｍｍである。回動アーム３の長さは約３００ｍｍである。回動アーム３は、あまりに短いと回転モーメントによる復元力が発揮できない。あまりに長いとＶ字型アンカー１００から突出して取り扱いが難しい。そのためアンカー本体１の長さの１／２〜１／３の長さとすることが望ましい。
【００１４】
図２は、本考案によるＶ字型アンカー１００の正面図である。回動アーム３は後方に倒れている状態から回動して立ち上がった状態にできる。回動制限部材９のチェーンは、一端がアンカー本体に取り付けられ、他端が回動アーム３の上部に取り付けられる。回動制限部材９が、回動アーム３の回動角度を０〜９０度の範囲に制限している。回動アーム３が立ち上がった状態では、回動アーム３はアンカー本体１の長手方向に対して直角な方向を向く。なお、水平舵４は、アンカー本体１の長手方向に対して下方向に２０〜３０度の角度で傾斜させている。これにより、水平舵４が砂地に食い込みやすい形状としている。
【００１５】
図３は、図１のＡ−Ａ断面図である。アンカー本体１の断面はＶ字形で、内側が溝１１となる。溝１１が砂地をつかむので、上方向に引き抜き難いようにＶ字型アンカーを固定できる。
【００１６】
図４は、図１のアンカー本体１と水平舵４との分解斜視図である。アンカー本体１と水平舵４は共に山形鋼からなり溶接で接合される。これによらず、アンカー本体１を後方に延長して、折り曲げて水平舵４を形成してもよい。
【００１７】
図５は、図１の回動アーム３と回動軸１０の斜視図である。回動軸１０は、アンカー本体１の内側に溶接された中軸に回動可能に装着される筒体で、筒体の両側に設けられたフランジに回動アーム３の両脚が溶接される。回動アーム３は、回動されて、後方に倒れている状態から上方に立ち上がった状態にできる。回動アーム３の回動を制限する回動制限部材９は、図２に示すようにチェーンによる。なお、回動制限部材９は、チェーンによらず、溝１１の内側に設けた係止具（図示せず）とフランジに設けた突起（図示せず）で実現することもできる。回動アーム３が垂直になると、フランジの突起が係止具に当接して回動軸１０の動きを止めるようにする。
【００１８】
図６および図７は、Ｖ字型アンカー１００を海底に固定する説明図である。図６（Ａ）は、Ｖ字型アンカー１００が掘削ホース６と一緒に孔に挿入された状態を示す。本実施例では、掘削ホース６がＶ字型アンカー１００を貫通した状態で海底５１に孔５を掘る。掘削ホース６の上端は、海面５０に浮かぶ作業船（図示せず）に設置した圧縮空気ポンプ（図示せず）に接続され、下端から圧縮空気を噴出して削孔する。ホースガイド２は、Ｖ字型アンカー１００が掘削ホース６から離れないようにしている。
【００１９】
図６（Ｂ）は、掘削ホース６が作業船に引き上げられ、Ｖ字型アンカー１００が係留ロープ７で吊り下げられた状態を示す。掘削ホース６は、孔５が所定の深さ（海底５１から３〜４ｍ）になると作業船に引き上げる。その場合、Ｖ字型アンカー１００は、水平舵４を上にして係留ロープ７で吊り下げられた状態となる。この状態ではＶ字型アンカー１００は縦向きで、全体にやや傾いて、水平舵４が孔５の側壁に当接する。水平舵４は、どちらの方向に傾いてもよい。
【００２０】
図７（Ａ）は、Ｖ字型アンカー１００が上昇され、両端が砂地に食い込んだ状態を示す。係留ロープ７を引き上げるとＶ字型アンカー１００が上昇するが、両端が押さえ込まれているので全体に回動する。Ｖ字型アンカー１００が回動すると、回動アーム３がアンカー本体１の長手方向に対して次第に直角な方向を向くようになる。
【００２１】
図７（Ｂ）は、Ｖ字型アンカー１００が水平に固定された状態を示す。図７（Ｃ）の状態から係留ロープ７を引き続き引き上げると、回動アーム３がアンカー本体１の長手方向に対して直角な方向を向き、Ｖ字型アンカー１００が水平の横向き状態となる。回動アーム３が回動して垂直に立つと、回動制限部材９がそれ以上に回動アーム３を回動させないので、逆Ｔ字形にＶ字型アンカー１００を導くことができる。図７（Ｂ）の状態では、Ｖ字型アンカー１００の溝１１が砂地をつかんで良好な固定力を発揮できる。Ｖ字型アンカー１００が縦向きの状態から横向きの状態となるまでに必要な引き上げ高さは、海底の砂地の状況によるが１〜２ｍの範囲である。
【００２２】
Ｖ字型アンカー１００が、図７（Ｂ）の状態から水平舵４が下がるように傾いたとする。その場合、回動アーム３の上端は９０度以上には回動しないので右方向に傾くが、係留ロープ７で引き続き引き上げられることにより、回動アーム３は反時計回りに回動する復元力が働く。そのため、Ｖ字型アンカー１００は水平な横向き状態に近づく。Ｖ字型アンカー１００が、図７（Ｂ）の状態から先端部１ａが下がるように傾いたとする。その場合、回動アーム３は９０度以下には回動可能なので、左方向には傾かず垂直のままである。しかし、本実施例では水平舵４側の方が、先端部１ａ側より強く下方に押されるので、回動アーム３には反時計回りの復元力が作用すれば十分である。なお、回動アーム３がアーム本体１の長手方向に対して直角となったら、回動アーム３をその角度にロックする機構が設けられてもよい。その場合は、右方向にも左方向にも復元力が働く。
【産業上の利用可能性】
【００２３】
本考案によるＶ字型アンカーは、構造が簡単で製作コストが安く、また、海底に設けられた孔に良好に固定できるアンカーとして好適である。
【符号の説明】
【００２４】
１    アンカー本体
１ａ    先端部
２    ホースガイド
３    回動アーム
４    水平舵
５    孔
６    掘削ホース
７    係留ロープ
９    回動制限部材
１０    回動軸
１１    溝
５０    海面
５１    海底
９０、１００    Ｖ字型アンカー
【図１】
0003160282.tif 000003
【図２】
0003160282.tif 000004
【図３】
0003160282.tif 000005
【図４】
0003160282.tif 000006
【図５】
0003160282.tif 000007
【図６】
0003160282.tif 000008
【図７】
0003160282.tif 000009
【図８】
0003160282.tif 000010